(57)【要約】    【課題】  １回のデータ取得で所望の細胞数を求めることができ、短時間で高精度に分析する細胞分析装置を提供することを目的とする。    【解決手段】  ウィンドウメモリ１９に、ウィンドウサイズに応じた距離だけ移動したことを示す情報を格納することにより、ウィンドウ移動を最適に制御することによって、同じ細胞の重複した検出の防止が可能となり、ウィンドウサイズを変更する毎にデータを取り直すといった必要がなくなるため、１回のデータ取得で所望の細胞数を求めることができ、短時間で高精度に分析する細胞分析装置を提供することができる。【選択図】  図３
2005127929.tif 000002
【特許請求の範囲】
【請求項１】
ディスク上に細胞を含有した検体を注入し、このディスクに光を照射してその光の反射又は透過光から検体中の細胞数を求める細胞分析装置であって、
前記光の反射光又は透過光の変化から１次元的に細胞認識を行う１次元細胞認識部と、
前記１次元細胞認識部の認識結果からディスクの各トラックに対応するｂｉｔに細胞の有無を示すデータを格納するための検体メモリと、
前記検体メモリ上を任意のサイズのウィンドウ単位で走査して前記データを確認することにより細胞を２次元的に認識する２次元細胞認識部と、
前記検体メモリの同一ｂｉｔを重複して走査しないように前記ウィンドウの大きさから次に移動すべき前記ウィンドウの移動量を算出するウィンドウ移動量算出部と、
前記ウィンドウ移動量算出部で算出した移動量を格納するためのウィンドウメモリと、
前記ウィンドウメモリ内の前記ウィンドウの移動量情報情報から前記２次元細胞認識部で認識された結果が正しいかどうか判断する判断部と、
前記移動量情報により前記ウィンドウの移動を制御するウィンドウ移動制御部と
を有し、ウィンドウの移動量を最適化することにより、一度のデータ取得で２次元細胞認識を行うことを特徴とする細胞分析装置。
【請求項２】
前記ウィンドウメモリを前記検体メモリの空き領域に設けることを特徴とする請求項１記載の細胞分析装置。
【請求項３】
前記ウィンドウメモリに可逆圧縮したウィンドウ移動量データを格納することを特徴とする請求項１または請求項２のいずれかに記載の細胞分析装置。
【請求項４】
前記ウィンドウメモリの情報から前記検体メモリの飛び越し走査が可能なことを特徴とする請求項１または請求項２または請求項３のいずれかに記載の細胞分析装置。
【請求項５】
ディスク上に細胞を含有した検体を注入し、このディスクに光を照射してその光の反射又は透過光から検体中の細胞数を求める細胞分析装置であって、
前記光の反射光又は透過光の変化から１次元的に細胞認識を行う１次元細胞認識部と、
前記１次元細胞認識部の認識結果からディスクの各トラックに対応するｂｉｔに細胞の有無を示す第１のデータを格納するための検体メモリと、
前記検体メモリ上を任意のサイズのウィンドウ単位で走査して前記第１のデータを確認することにより細胞を２次元的に認識する２次元細胞認識部と、
前記２次元細胞認識により認識した細胞の有無を示す第２のデータをウィンドウ単位毎に前記検体メモリに付加するデータ付加部と、
前記第２のデータを用いて細胞の大きさを判別する細胞サイズ判別部と、
前記ウィンドウの移動を制御するウィンドウ移動制御部と
を有し、ウィンドウ毎の細胞の有無を示す第２のデータを前記検体メモリに付加することにより、一度のデータ取得で細胞の大きさとその個数を求めることを特徴とする細胞分析装置。
【請求項６】
ディスク上に細胞を含有した検体を注入し、このディスクに光を照射してその光の反射又は透過光から検体中の細胞数を求める細胞分析装置であって、
前記光の反射光又は透過光の変化から１次元的に細胞認識を行う１次元細胞認識部と、
前記１次元細胞認識部の認識結果からディスクの各トラックに対応するｂｉｔに細胞の有無を示す第１のデータを格納するための検体メモリと、
前記検体メモリ上を任意のサイズのウィンドウ単位で走査して前記第１のデータを確認することにより細胞を２次元的に認識する２次元細胞認識部と、
前記検体メモリの走査中に前記ウィンドウの大きさを任意に切り替えるウィンドウ切り替え部と、
前記２次元細胞認識部にて１または２以上のウィンドウサイズでの走査結果から認識した細胞のサイズを判別する細胞サイズ判別部と、
前記細胞サイズ判別部での判別後に前記第１のデータを消去するデータ消去部と
を有し、前記検体メモリの走査にて細胞が確認された時に、ウィンドウサイズを変更して再走査することにより細胞の大きさを判別し、一度のデータ取得で細胞の大きさとその個数を求めることを特徴とする細胞分析装置。
【請求項７】
前記検体中の細胞の大きさに合わせてサンプリング周期が可変なことを特徴とする請求項１または請求項２または請求項３または請求項４または請求項５または請求項６のいずれかに記載の細胞分析装置。
【請求項８】
前記ウィンドウで前記検体メモリを走査した際、細胞と細胞が存在する間隔を格納しておく細胞間隔メモリを有し、前記ウィンドウサイズを切り替えて再度検体メモリを走査する際、前記細胞間隔メモリからの情報を基にして細胞が存在している領域のみを走査するメモリ飛び越し制御部を有することを特徴とする請求項５記載の細胞分析装置。
【発明の詳細な説明】
【技術分野】
【０００１】
本発明は、ディスク上に細胞を含有した検体を注入し、このディスクに光を照射してその光の反射又は透過光から検体中の細胞数を求める細胞分析装置に関するものである。
【背景技術】
【０００２】
従来の光ディスクを利用した細胞分析装置は、光源がディスクのトラック上をトレースしながらディスク上に注入された検体に対して光を照射し、検出器がその反射光又は透過光を検出する。検出された信号はＡＤ変換器を通りバッファメモリに保存される。ディスク上には回転方向の基準を示す較正マークが存在し、検出器により検出されたデータは較正マークを基準に整列される。検体内に細胞が存在しない場所は、検出器が検出する光の強度は一定であるのに対し、細胞が存在する場所は、光の干渉により、検出器が検出するレベルが低下するといった検出器のレベル変化を認識して細胞の有無を判断している（例えば、特許文献１参照）。
【０００３】
また、この方法は１次元（１つのトラック上）での細胞の有無を判断するものだが、２次元で細胞を判断する方法を図１，図２を用いて説明する。
図１は従来の分析装置の分析方法を説明する図，図２は従来の分析装置における大きさの違う細胞を分析する方法を説明する図である。
【０００４】
まず、１次元で細胞の有無を判断し、細胞が有ると判断された場合はメモリに細胞１つにつき１つ‘１’を、細胞がないと判断された場合はメモリに‘０’を一定のサンプリング間隔で格納する。そのときのメモリ内部の状態が図１に示される。ディスクのトラック２上に存在する細胞４の１次元細胞認識データが検体メモリ１上に各トラック２をデータバスの各ｂｉｔに対応させた形で格納されている。このとき、検体メモリ１上に細胞４の大きさに対応したｍ行×ｎ列のウィンドウ３を配置し、タンジェンシャル方向、トラック方向にそれぞれ１ｂｉｔずつずらしながら前記メモリ１上を走査する。走査する際、ウィンドウ３内のどこかに‘１’が存在するとき２次元的に細胞が有ると判断される。このとき、ウィンドウ内に存在する全ての‘１’を‘０’に書き換え、以後、同じ細胞を重複して検出するのを防ぐための処理を行う。この場合、検出対象となる細胞の大きさはウィンドウサイズによって決まってくる。検出したい細胞の大きさを変えたい場合は、それに合わせてウィンドウ３のサイズを変更する。
【特許文献１】特開２００２−２２６５１号公報
【発明の開示】
【発明が解決しようとする課題】
【０００５】
しかしながら、図２に示すように、検体内に検出したい細胞５と大きさが細胞５の２倍ある検出したくない細胞６が混在していた場合、検出したい細胞５の大きさに合わせたウィンドウ７で検体メモリ１を走査したとき、検出したくない細胞６は検出したい細胞５の２つ分として数えられてしまう。例えば、検出したい細胞５が１００個、検出したくない細胞６が５０個存在していた場合、ウィンドウ７で検出すると１００個＋５０個×２＝２００個という結果となる。検出したい細胞５の数を求めるためには、検出したくない細胞６の数を求めて合計から引く必要がある。そのため、今度は検体メモリ１内を検出したくない細胞６の大きさに合わせたウィンドウ８で走査する。しかし、検体メモリ１内データは既に前記ウィンドウ７で走査した後、書き換えられているため利用することができない。このためデータを再度取り直す必要がある。しかし、それは分析時間が倍増するだけでなく、分析条件が同一でなくなるため、分析誤差が拡大する恐れがあるといった課題を有している。
【０００６】
本発明は、前記従来の課題を解決するもので、１回のデータ取得で所望の細胞数を求めることができ、短時間で高精度に分析する細胞分析装置を提供することを目的とする。
【課題を解決するための手段】
【０００７】
上記目的を達成するために、本発明の請求項１記載の細胞分析装置は、ディスク上に細胞を含有した検体を注入し、このディスクに光を照射してその光の反射又は透過光から検体中の細胞数を求める細胞分析装置であって、前記光の反射光又は透過光の変化から１次元的に細胞認識を行う１次元細胞認識部と、前記１次元細胞認識部の認識結果からディスクの各トラックに対応するｂｉｔに細胞の有無を示すデータを格納するための検体メモリと、前記検体メモリ上を任意のサイズのウィンドウ単位で走査して前記データを確認することにより細胞を２次元的に認識する２次元細胞認識部と、前記検体メモリの同一ｂｉｔを重複して走査しないように前記ウィンドウの大きさから次に移動すべき前記ウィンドウの移動量を算出するウィンドウ移動量算出部と、前記ウィンドウ移動量算出部で算出した移動量を格納するためのウィンドウメモリと、前記ウィンドウメモリ内の前記ウィンドウの移動量情報情報から前記２次元細胞認識部で認識された結果が正しいかどうか判断する判断部と、前記移動量情報により前記ウィンドウの移動を制御するウィンドウ移動制御部とを有し、ウィンドウの移動量を最適化することにより、一度のデータ取得で２次元細胞認識を行うことを特徴とする。
【０００８】
請求項２記載の細胞分析装置は、請求項１記載の細胞分析装置において、前記ウィンドウメモリを前記検体メモリの空き領域に設けることを特徴とする。
請求項３記載の細胞分析装置は、請求項１または請求項２のいずれかに記載の細胞分析装置において、前記ウィンドウメモリに可逆圧縮したウィンドウ移動量データを格納することを特徴とする。
【０００９】
請求項４記載の細胞分析装置は、請求項１または請求項２または請求項３のいずれかに記載の細胞分析装置において、前記ウィンドウメモリの情報から前記検体メモリの飛び越し走査が可能なことを特徴とする。
【００１０】
請求項５記載の細胞分析装置は、ディスク上に細胞を含有した検体を注入し、このディスクに光を照射してその光の反射又は透過光から検体中の細胞数を求める細胞分析装置であって、前記光の反射光又は透過光の変化から１次元的に細胞認識を行う１次元細胞認識部と、前記１次元細胞認識部の認識結果からディスクの各トラックに対応するｂｉｔに細胞の有無を示す第１のデータを格納するための検体メモリと、前記検体メモリ上を任意のサイズのウィンドウ単位で走査して前記第１のデータを確認することにより細胞を２次元的に認識する２次元細胞認識部と、前記２次元細胞認識により認識した細胞の有無を示す第２のデータをウィンドウ単位毎に前記検体メモリに付加するデータ付加部と、前記第２のデータを用いて細胞の大きさを判別する細胞サイズ判別部と、前記ウィンドウの移動を制御するウィンドウ移動制御部とを有し、ウィンドウ毎の細胞の有無を示す第２のデータを前記検体メモリに付加することにより、一度のデータ取得で細胞の大きさとその個数を求めることを特徴とする。
【００１１】
請求項６記載の細胞分析装置は、ディスク上に細胞を含有した検体を注入し、このディスクに光を照射してその光の反射又は透過光から検体中の細胞数を求める細胞分析装置であって、前記光の反射光又は透過光の変化から１次元的に細胞認識を行う１次元細胞認識部と、前記１次元細胞認識部の認識結果からディスクの各トラックに対応するｂｉｔに細胞の有無を示す第１のデータを格納するための検体メモリと、前記検体メモリ上を任意のサイズのウィンドウ単位で走査して前記第１のデータを確認することにより細胞を２次元的に認識する２次元細胞認識部と、前記検体メモリの走査中に前記ウィンドウの大きさを任意に切り替えるウィンドウ切り替え部と、前記２次元細胞認識部にて１または２以上のウィンドウサイズでの走査結果から認識した細胞のサイズを判別する細胞サイズ判別部と、前記細胞サイズ判別部での判別後に前記第１のデータを消去するデータ消去部とを有し、前記検体メモリの走査にて細胞が確認された時に、ウィンドウサイズを変更して再走査することにより細胞の大きさを判別し、一度のデータ取得で細胞の大きさとその個数を求めることを特徴とする。
【００１２】
請求項７記載の細胞分析装置は、請求項１または請求項２または請求項３または請求項４または請求項５または請求項６のいずれかに記載の細胞分析装置において、前記検体中の細胞の大きさに合わせてサンプリング周期が可変なことを特徴とする。
【００１３】
請求項８記載の細胞分析装置は、請求項５記載の細胞分析装置において、前記ウィンドウで前記検体メモリを走査した際、細胞と細胞が存在する間隔を格納しておく細胞間隔メモリを有し、前記ウィンドウサイズを切り替えて再度検体メモリを走査する際、前記細胞間隔メモリからの情報を基にして細胞が存在している領域のみを走査するメモリ飛び越し制御部を有することを特徴とする。
【００１４】
以上により、１回のデータ取得で所望の細胞数を求めることができ、短時間で高精度に分析する細胞分析装置を提供することができる。
【発明の効果】
【００１５】
本発明の細胞分析装置によれば、走査中に同一ｂｉｔを重複して走査しないように、ウィンドウの移動量を最適化することにより、異なる大きさの細胞が混在していても、１回のデータ取得で所望の細胞数を求めることができ、短時間で高精度に分析する細胞分析装置を提供することができる。
【００１６】
また、走査するウィンドウサイズ毎に、細胞認識結果を検体メモリに付加することにより、細胞の大きさを判別することができ、異なる大きさの細胞が混在していても、１回のデータ取得で所望の細胞数を求めることができ、短時間で高精度に分析する細胞分析装置を提供することができる。
【００１７】
さらに、走査中に自由にウィンドウサイズを変更しながら走査することにより、細胞の大きさを判別することができ、異なる大きさの細胞が混在していても、１回のデータ取得で所望の細胞数を求めることができ、短時間で高精度に分析する細胞分析装置を提供することができる。
【発明を実施するための最良の形態】
【００１８】
以下に、本発明の細胞分析装置における実施の形態について図面とともに詳細に説明する。
（実施の形態１）
まず、実施の形態１における細胞分析装置について、図３，図４を用いて説明する。
【００１９】
図３は本発明の実施の形態１における細胞分析装置のブロック図，図４は本発明のウィンドウの走査手順を示す図である。
図３において、９は半透明な光ディスク、１０は光ディスクにレーザーを照射するための光ピックアップ、１１は光ピックアップ１０から照射されるレーザー、１２はディスク９を透過したレーザー１１を受光し電気信号に変換する光検出器Ａ、１３は偏向プリズム、１４は光ディスク９に反射したレーザー１１を受光し電気信号に変換する光検出器Ｂ、１５は光検出器Ａ１２、光検出器Ｂ１４からの信号を基に細胞を１次元的に認識する１次元細胞認識部、１６はウィンドウ７、ウィンドウ８からの情報を基に２次元的に細胞を認識する２次元細胞認識部、１８はウィンドウ７、ウィンドウ８の次の移動量を算出するウィンドウ移動量算出部、１９はウィンドウ移動量を格納しておくためのウィンドウメモリ、１７はウィンドウメモリ１９の内容から２次元細胞認識部１６で判断された結果が正しいかどうか判定する結果判定部、２０はウィンドウ７、ウィンドウ８の移動を制御するウィンドウ移動制御部である。
【００２０】
以上のように構成された細胞分析装置について、以下その動作、作用を説明する。
まず、図示しない検体が光ディスク９に注入される。注入後、光ディスク９は一定速度で回転し、その間光ピックアップ１０は常時光ディスク９にレーザー１１を照射する。レーザー１１の一部は光ディスク９を透過し光検出器Ａ１２で受光される。また、一部は光ディスク９で反射され、その反射光が偏向プリズム１３で屈折し、光検出器Ｂ１４で受光される。特開２００２−２２６５１に記載されているように、光検出器Ａ１２、光検出器Ｂ１４の信号比は常に一定となるが、検体内に細胞が存在する場合、透過光が細胞の干渉を受けて変化し、それにより光検出器Ａ１２、光検出器Ｂ１４の信号比に変化が生じる。１次元細胞認識部１５ではこの信号比の変化から、１次元的に見た細胞の有無を判断する。ここで、細胞が有ると判断された場合は、ディスクの各トラックに対応するｂｉｔに細胞１つにつき１つ‘１’を立てると共に、それ以外のｂｉｔに‘０’を立てて、この‘１’‘０’信号を一定のサンプリング間隔で検体メモリに格納する。
【００２１】
次に、２次元細胞認識について述べる。ここでは、検出したい細胞５とその２倍の大きさの検出したくない細胞６が同じ検体内に存在すると仮定する（図２参照）。
まず、ウィンドウ移動量算出部１８において、ウィンドウ移動毎にそのときのウィンドウサイズに応じて、走査するウィンドウが重ならず、かつ、走査しない領域がないようにウィンドウ移動量を算出する。今回、ウィンドウ７のサイズを３行×３列とすると、同じ細胞を重複してカウントしないため、次にウィンドウ７が移動する場所は、現在地からタンジェンシャル方向に３ｂｉｔ、またはトラック方向に３ｂｉｔの地点になる。この移動量はウィンドウメモリ１９に格納される。具体的には、ウィンドウメモリ１９のタンジェンシャル部分には、３が格納される。そして次にウィンドウがタンジェンシャル方向に１ｂｉｔ移動したときこの値が−１されて２となる。そして３ｂｉｔ移動したときには０となる。一方、トラック方向の移動量は、ウィンドウメモリ１９上の検体メモリ１のタンジェンシャル位置に対応した位置に３が格納される。こちらもタンジェンシャル部分と同様、ウィンドウがトラック方向に１ｂｉｔ移動したとき値が−１されて２となり、３ｂｉｔ移動したときには０となる。
【００２２】
次に、検出したい細胞５の大きさに合わせたウィンドウ７で検体メモリ１上を走査する。このとき、ウィンドウ移動制御部２０の制御によりタンジェンシャル方向、トラック方向それぞれにウィンドウの走査を行うが、ここでは、図４に示すように、テレビの走査線の如く、まず、タンジェンシャル方向へ検体メモリ１の端から端まで走査を行い、次に、トラック方向へ１ｂｉｔずらすといった手順で行うこととする。
【００２３】
２次元細胞認識部１６はウィンドウ７のタンジェンシャル方向への走査中常にウィンドウ７のいずれかのｂｉｔに‘１’が存在するか否かを調べ、存在する場合は２次元的に細胞が有ると判断される。次に結果判定部１７がウィンドウメモリ１９の内容を参照し、ウィンドウの現在地に該当するウィンドウメモリ内のデータが‘０’のとき、つまり、一度細胞が認識された領域と重複しない領域にウィンドウが移動したときに限り、２次元認識部１６で細胞有りと判断された結果が正しいと判断する。
【００２４】
ここで、ウィンドウメモリを検体メモリの空領域に設けることもできる。
またここでは、検体メモリの内容を可逆圧縮したり、検体メモリに格納するためのサンプリング間隔を大きく取ることで検体メモリ容量を節約することも可能である。
【００２５】
さらに、移動量が３ｂｉｔの場合、ウィンドウを１ｂｉｔずつずらしながらウィンドウメモリの内容を確認するといった走査を説明したが、一気に３ｂｉｔずつ跳び越して走査を行うということも可能である。
【００２６】
以上のように、本実施の形態においては、ウィンドウメモリに、ウィンドウサイズに応じた距離だけ移動したことを示す情報を格納することにより、ウィンドウ移動を最適に制御することによって、同じ細胞の重複した検出の防止が可能となり、ウィンドウサイズを変更する毎にデータを取り直すといった必要がなくなるため、１回のデータ取得で所望の細胞数を求めることができ、短時間で高精度に分析する細胞分析装置を提供することができる。
（実施の形態２）
次に、実施の形態２における細胞分析装置について、図５を用いて説明する。
【００２７】
図５は本発明の実施の形態２における細胞分析装置のブロック図である。
図５において、２２は２次元細胞認識部１６で細胞が有ると判断された部分にデータを付加するデータ付加部で、２１はデータ付加部２２によって付加されたデータを基に細胞サイズを判別する細胞サイズ判別部である。実施の形態１の構成と異なるところは、ウィンドウ移動量算出部１８とウィンドウメモリ１９を廃止し、データ付加部２２と細胞サイズ判別部２１を追加した点である。
【００２８】
以下その動作、作用を説明する。
まず、実施の形態１と同様に２次元細胞認識を行う。この時、データ付加部２２にて、走査したウィンドウ毎に、細胞が有ることを認識した検体メモリ１のｂｉｔにデータを付加する。例えば、ウィンドウ７が細胞有りと認識した場合、ウィンドウ７内の‘１’の左側にデータを付加し‘１１’とし、ウィンドウ８が細胞有りと認識した場合、ウィンドウ８内の‘１’の２つ左側にデータを付加し‘１０１’とする。また、この方法でウィンドウ７、８共に細胞有りと認識した場合は‘１１１’とする。また、ウィンドウ移動制御部２０にて、このデータの有無を確認することにより、走査するウィンドウが重ならず、かつ、走査しない領域がないようにウィンドウ移動量を調整してウィンドウの移動を制御する。
【００２９】
次に、細胞サイズ判別部２１にて、データ付加部２２で付加されたウィンドウサイズ毎のデータを確認し、それを基に実際の細胞サイズを判別する。例えば、ウィンドウ８で走査中に細胞有りと認識された箇所が既にウィンドウ７でも細胞有りと判断されていた部分だとする。この場合、実際に存在する細胞はウィンドウ８に対応するサイズの細胞１個である。しかし、先に走査したウィンドウ７はウィンドウ８の１／２のサイズであるため、この細胞をウィンドウ７に対応する細胞が２個と認識しているはずである。そのため、ウィンドウ７で認識されていた細胞２個分のカウント数は−２されなければならない。
【００３０】
実施の形態１では、重複して走査しないように、ウィンドウの移動量を制御していたが、実施の形態２では、各ウィンドウで細胞が検出されたことにより検体メモリに特定のデータを付加している。このことにより、重複した走査を防ぐとともに、異なるサイズの細胞数をカウントすることができる。
【００３１】
また、先にメモリを走査する際、各トラックの同一タンジェンシャル位置に‘１’が１つでも存在する場合は‘１’を、それ以外は‘０’を図示しない細胞間隔メモリに格納しておくことで、メモリ飛び越し制御部により細胞が存在している領域のみを走査するように制御し、再走査する場合に細胞が存在しないタンジェンシャル位置の検体メモリ情報にアクセスして２次元認識を行うといった無駄を省くことも可能である。
【００３２】
以上のように、本実施の形態においては、データを付加することでどのウィンドウで２次元細胞認識を行ったか履歴を残すことができ、それによって同じ細胞の重複した検出の防止が可能である。これにより、ウィンドウサイズを変更する毎にデータを取り直すといった必要がなくなるため、１回のデータ取得で所望の細胞数を求めることができ、短時間で高精度に分析する細胞分析装置を提供することができる。
（実施の形態３）
次に、実施の形態３における細胞分析装置について、図６を用いて説明する。
【００３３】
６は本発明の実施の形態３における細胞分析装置のブロック図である。
６において、２３は検体メモリ１を走査するウィンドウを、走査途中に切り替えるためのウィンドウ切り替え部である。実施の形態２の構成と異なるところは、ウィンドウ切り替え部２３を追加した点とデータ付加部２１をデータ消去部２４に置き換えた点である。
【００３４】
以下その動作、作用を説明する。
まず、実施の形態１，実施の形態２と同様に２次元細胞認識を行う。次に、検体メモリ１上をウィンドウ７がタンジェンシャル方向に１ｂｉｔずつ走査する。そして、ある地点で２次元細胞認識部１６が細胞を認識したとき、ウィンドウ切り替え部２３がウィンドウ７をウィンドウ８に切り替えて再度２次元細胞認識部１６が細胞認識を行う。このとき、ウィンドウ７とウィンドウ８の両方で細胞が認識された場合、細胞サイズ判別部２２はその細胞がウィンドウ８に対応する大きさの細胞であると判断する。一方、ウィンドウ７でのみ細胞が認識された場合、細胞サイズ判別部２２はその細胞がウィンドウ７に対応する大きさの細胞であると判断する。その後、従来技術と同様、データ消去部２４が検出したウィンドウ内のすべての‘１’を‘０’に書き換え、今後同じ細胞を重複して検出することを防ぐ処理を行う。また今回の説明では最初に走査するウィンドウをウィンドウ７としたが、これはウィンドウ８でも構わない。しかし、その場合は先の処理とは反対に２次元細胞認識部１６で細胞が認識されない地点で逐次ウィンドウを切り替える必要がある。
【００３５】
以上のように、本実施の形態においては、ウィンドウの走査中、検体メモリ内のデータを書き換える前にウィンドウサイズを切り替えて再走査することにより、個々のウィンドウで検出された細胞数が分かるため、ウィンドウサイズを変更する毎にデータを取り直すといった必要がなくなるため、１回のデータ取得で所望の細胞数を求めることができ、短時間で高精度に分析する細胞分析装置を提供することができる。
【産業上の利用可能性】
【００３６】
本発明にかかる細胞分析装置は、短時間で高精度に分析することができるという効果を有し、ディスク上に細胞を含有した検体を注入し、このディスクに光を照射してその光の反射又は透過光から検体中の細胞数を求める細胞分析装置等として有用である。
【図面の簡単な説明】
【００３７】
【図１】従来の分析装置の分析方法を説明する図
【図２】従来の分析装置における大きさの違う細胞を分析する方法を説明する図
【図３】本発明の実施の形態１における細胞分析装置のブロック図
【図４】本発明のウィンドウの走査手順を示す図
【図５】本発明の実施の形態２における細胞分析装置のブロック図
【図６】本発明の実施の形態３における細胞分析装置のブロック図
【符号の説明】
【００３８】
１    検体メモリ
２    トラック
３    ウィンドウ
４    細胞
５    細胞
６    細胞
７    ウィンドウ
８    ウィンドウ
９    ディスク
１０    光ピックアップ
１１    レーザー
１２    光検出器Ａ
１３    偏向プリズム
１４    光検出器Ｂ
１５    １次元細胞認識部
１６    ２次元細胞認識部
１７    結果判定部
１８    ウィンドウ移動量算出部
１９    ウィンドウメモリ
２０    ウィンドウ移動制御部
２１    細胞サイズ判別部
２２    データ付加部
２３    ウィンドウ切り替え部
２４    データ消去部
【図１】
2005127929.tif 000003
【図２】
2005127929.tif 000004
【図３】
2005127929.tif 000005
【図４】
2005127929.tif 000006
【図５】
2005127929.tif 000007
【図６】
2005127929.tif 000008